(57)【特許請求の範囲】
【請求項１】
情報提供者の端末から提供された流通情報に種類の異なる複数の広告を付して、複数の中継者の端末を順次経由して、該情報提供者の端末および該複数の中継者の端末をつなぐネットワーク上を流通させる情報流通システムであって、
前記複数の中継者の端末は、それぞれ
自己以外の他の中継者の端末からの前記流通情報を格納する一の格納手段と、
前記一の格納手段に格納された前記流通情報の内、自己以外の他の中継者の端末へ公開するために前記流通情報を格納する他の格納手段とを備え、
前記流通情報を前記他の格納手段に格納する際には、該流通情報に付された前記種類の異なる複数の広告の内、前記中継者により選択された該流通情報の内容に関連しない非関連広告が削除され、該流通情報の内容に関連する関連広告のみが該他の格納手段に格納されるとともに、
前記複数の中継者の端末のうち、互いに価値観が共通している中継者の端末を同一のテーマに関するグループに属すようにし、前記他の格納手段に格納された前記流通情報は、自己と同一のテーマに関するグループに属する自己以外の他の中継者の端末のみから参照可能にし、
前記複数の中継者の端末を順次経由して流通される前記流通情報には前記関連広告のみが付され、
前記流通情報とともに前記一の格納手段に格納された前記関連広告を表示する
情報流通システム。
【請求項２】
前記流通情報が、
前記ネットワークに接続された記憶手段に記憶された前記流通情報の内容としての情報本体と、
前記情報本体に関連付けられて前記情報本体とは分離して流通され、該情報本体が記憶された前記記憶手段の位置情報を含み、前記一の格納手段又は前記他の格納手段に格納される情報インデックスタグと
を有し、
前記複数の中継者の端末のそれぞれは、前記流通情報とともに前記一の格納手段に格納された前記関連広告を表示する際に、前記情報インデックスタグに含まれる該情報本体が記憶された前記記憶手段の位置情報を基に、前記情報本体を取得して表示する
請求項１に記載の情報流通システム。
【請求項３】
前記広告が前記情報インデックスタグに付され、前記広告の内容である広告本体と、前記広告本体の存在場所を示す情報とを有し、
前記情報インデックスタグには、前記広告本体の存在場所を示す情報のみが含められており、
前記複数の中継者の端末のそれぞれは、前記流通情報とともに前記一の格納手段に格納された前記関連広告を表示する際に、前記情報インデックスタグに含まれる前記関連広告の内容である関連広告本体の存在場所を示す情報を基に、前記関連広告本体を取得して表示する
請求項２に記載の情報流通システム。
【請求項４】
情報提供者の端末から提供された流通情報に種類の異なる複数の広告を付して、複数の中継者の端末を順次経由して、該情報提供者の端末および該複数の中継者の端末をつなぐネットワーク上を流通させる情報流通方法であって、
前記複数の中継者の端末が備える自己以外の他の中継者の端末からの前記流通情報を格納する一の格納手段と、前記一の格納手段に格納された前記流通情報の内、自己以外の他の中継者の端末へ公開するために前記流通情報を格納する他の格納手段のうち、前記他の格納手段に前記流通情報を格納する際には、
該流通情報に付された前記種類の異なる複数の広告の内、前記中継者により選択された該流通情報の内容に関連しない非関連広告を削除し、
該流通情報の内容に関連する関連広告のみを該他の格納手段に格納するとともに、
前記複数の中継者の端末のうち、互いに価値観が共通している中継者の端末を同一のテーマに関するグループに属すようにし、前記他の格納手段に格納された前記流通情報を、自己と同一のテーマに関するグループに属する自己以外の他の中継者の端末のみから参照可能にし、
前記複数の中継者の端末を順次経由して流通される前記流通情報に前記関連広告のみを付し、
前記複数の中継者の端末のそれぞれに、前記流通情報とともに前記一の格納手段に格納された前記関連広告を表示させる
情報流通方法。
【請求項５】
前記流通情報が、
前記ネットワークに接続された記憶手段に記憶された前記流通情報の内容としての情報本体と、
前記情報本体に関連付けられて前記情報本体とは分離して流通され、該情報本体が記憶された前記記憶手段の位置情報を含み、前記一の格納手段又は前記他の格納手段に格納される情報インデックスタグと
を有し、
前記複数の中継者の端末のそれぞれは、前記流通情報とともに前記一の格納手段に格納された前記関連広告を表示する際に、前記情報インデックスタグに含まれる該情報本体が記憶された前記記憶手段の位置情報を基に、前記情報本体を取得して表示する請求項４に記載の情報流通方法。
【請求項６】
前記広告が、前記情報インデックスタグに付され、前記広告の内容である広告本体と、前記広告本体の存在場所を示す情報とを有し、
前記情報インデックスタグには、前記広告本体の存在場所を示す情報のみが含められており、
前記複数の中継者の端末のそれぞれは、前記流通情報とともに前記一の格納手段に格納された前記関連広告を表示する際に、前記情報インデックスタグに含まれる前記関連広告の内容である関連広告本体の存在場所を示す情報を基に、前記関連広告本体を取得して表示する
請求項５に記載の情報流通方法。
【請求項７】
情報提供者の端末から提供された流通情報に種類の異なる複数の広告を付して、複数の中継者の端末を順次経由して、該情報提供者の端末および該複数の中継者の端末をつなぐネットワーク上を流通させる情報流通プログラムを記録したコンピュータ読み取り可能なプログラム格納媒体であって、
前記複数の中継者の端末が備える自己以外の他の中継者の端末からの前記流通情報を格納する一の格納手段と、前記一の格納手段に格納された前記流通情報の内、自己以外の他の中継者の端末へ公開するために前記流通情報を格納する他の格納手段のうち、前記他の格納手段に前記流通情報を格納する際には、
該流通情報に付された前記種類の異なる複数の広告の内、前記中継者により選択された該流通情報の内容に関連しない非関連広告を削除し、
該流通情報の内容に関連する関連広告のみを該他の格納手段に格納するとともに、
前記複数の中継者の端末のうち、互いに価値観が共通している中継者の端末を同一のテーマに関するグループに属すようにし、前記他の格納手段に格納された前記流通情報を、自己と同一のテーマに関するグループに属する自己以外の他の中継者の端末のみから参照可能にし、
前記複数の中継者の端末を順次経由して流通される前記流通情報に前記関連広告のみを付し、
前記複数の中継者の端末のそれぞれに、前記流通情報とともに前記一の格納手段に格納された前記関連広告を表示させる
情報流通プログラムを記録した
コンピュータ読み取り可能なプログラム格納媒体。
【請求項８】
情報提供者の端末から提供された流通情報に種類の異なる複数の広告を付して、複数の中継者の端末を順次経由して、該情報提供者の端末および該複数の中継者の端末をつなぐネットワーク上を流通させる情報流通プログラムであって、
前記複数の中継者の端末が備える自己以外の他の中継者の端末からの前記流通情報を格納する一の格納手段と、前記一の格納手段に格納された前記流通情報の内、自己以外の他の中継者の端末へ公開するために前記流通情報を格納する他の格納手段のうち、前記他の格納手段に前記流通情報を格納する際には、
該流通情報に付された前記種類の異なる複数の広告の内、前記中継者により選択された該流通情報の内容に関連しない非関連広告を削除し、
該流通情報の内容に関連する関連広告のみを該他の格納手段に格納するとともに、
前記複数の中継者の端末のうち、互いに価値観が共通している中継者の端末を同一のテーマに関するグループに属すようにし、前記他の格納手段に格納された前記流通情報を、自己と同一のテーマに関するグループに属する自己以外の他の中継者の端末のみから参照可能にし、
前記複数の中継者の端末を順次経由して流通される前記流通情報に前記関連広告のみを付し、
前記複数の中継者の端末のそれぞれに、前記流通情報とともに前記一の格納手段に格納された前記関連広告を表示させる
情報流通プログラム。
【発明の詳細な説明】
【０００１】
【発明の属する技術分野】
本発明は、広告を関連づけて情報を交換する情報流通システム、情報流通方法、情報流通プログラムを記録したコンピュータ読み取り可能なプログラム格納媒体及び情報流通プログラムに関するものである。
【０００２】
【従来の技術】
近年の情報産業の発達によって、例えばインターネットから様々な情報が入手することができるようになっている。インターネット等から情報を入手する際には、情報を提供するサイトに広告手段が設けられている場合が多い。従来、インターネット上の広告手段としては、ワンクリック方式等の各種の手段が実現されている。インターネット等において情報を掲示する際には、掲示されている情報に関して有効な広告が掲載されるようにマッチングが図られている。
【０００３】
【発明が解決しようとする課題】
ところが、実際上は、例えば「靴」に関する広告が帆船模型に関するサイトに掲示されている等、掲示されている情報に対して有効な広告が付されている場合は少ない。このため、例えばインターネットで情報を閲覧しようとする受け手の側に立つと、サイトにアクセスした際に不要な広告が表示されている事に対して不満が多く挙がっている。このようなことから、サイトに提示されている情報に有効な広告が付されることが望まれている。
【０００４】
そこで本発明は上記課題を解決し、不要な広告を除いて有効な広告のみを付した流通情報を提供することができる情報流通システム、情報流通方法、情報流通プログラムを記録したコンピュータ読み取り可能なプログラム格納媒体及び情報流通プログラムを提供することを目的としている。
【０００５】
【課題を解決するための手段】
上記目的は、請求項１の発明にあっては、情報提供者の端末から提供された流通情報に種類の異なる複数の広告を付して、複数の中継者の端末を順次経由して、情報提供者の端末および複数の中継者の端末をつなぐネットワーク上を流通させる情報流通システムであって、複数の中継者の端末は、それぞれ自己以外の他の中継者の端末からの流通情報を格納する一の格納手段と、一の格納手段に格納された流通情報の内、自己以外の他の中継者の端末へ公開するために流通情報を格納する他の格納手段とを備え、流通情報を他の格納手段に格納する際には、流通情報に付された種類の異なる複数の広告の内、中継者により選択された流通情報の内容に関連しない非関連広告が削除され、流通情報の内容に関連する関連広告のみが他の格納手段に格納されるとともに、複数の中継者の端末のうち、互いに価値観が共通している中継者の端末を同一のテーマに関するグループに属すようにし、他の格納手段に格納された流通情報は、自己と同一のテーマに関するグループに属する自己以外の他の中継者の端末のみから参照可能にし、複数の中継者の端末を順次経由して流通される流通情報には関連広告のみが付され、流通情報とともに一の格納手段に格納された関連広告を表示する情報流通システムにより、達成される。請求項１の構成によれば、情報発信者からの流通情報には、種類の異なる複数の広告が付されて流通されている。この流通情報は、まずある一の中継者の端末における一の格納手段に格納される。次に、この中継者の端末では、流通情報に付されている無用と思われる非関連広告が除かれ、流通情報は関連広告のみが付された状態で他の格納手段に格納される。従って、他の中継者の端末は、流通情報を参照した際に、流通情報に元々付されていた非関連広告を参照することがなくなり、流通情報に現在付されている関連広告のみを参照することになる。このため、他の中継者は、非関連広告を参照することが無く、関連広告のみを参照することになる。また、流通情報へ広告を付す側にとっても、他の中継者に対して有効な広告を参照させることができるので、広告を効率的なものとすることができる。
【０００６】
請求項２の発明は、請求項１の構成において、流通情報が、ネットワークに接続された記憶手段に記憶された流通情報の内容としての情報本体と、情報本体に関連付けられて情報本体とは分離して流通され、情報本体が記憶された記憶手段の位置情報を含み、一の格納手段又は他の格納手段に格納される情報インデックスタグとを有し、複数の中継者の端末のそれぞれは、流通情報とともに一の格納手段に格納された関連広告を表示する際に、情報インデックスタグに含まれる情報本体が記憶された記憶手段の位置情報を基に、情報本体を取得して表示するようにしたものである。請求項２の構成によれば、請求項１の作用に加えて、情報本体を流通させる代わりに、情報本体の存在場所を示す情報インデックスタグのみを流通させている。複数の中継者がそれぞれ情報本体を参照するには、情報インデックスタグに基づいて情報本体を参照することができる。従って、流通される流通情報の情報量を軽減することができる。
【０００７】
請求項３の発明は、請求項２の構成において、広告が情報インデックスタグに付され、広告の内容である広告本体と、広告本体の存在場所を示す情報とを有し、情報インデックスタグには、広告本体の存在場所を示す情報のみが含められており、複数の中継者の端末のそれぞれは、流通情報とともに一の格納手段に格納された関連広告を表示する際に、情報インデックスタグに含まれる関連広告の内容である関連広告本体の存在場所を示す情報を基に、関連広告本体を取得して表示するようにしたものである。請求項３の構成によれば、請求項２の作用に加えて、広告情報全てを流通させる代わりに、広告本体の存在場所を示す情報のみを情報インデックスタグに含めて流通させている。複数の中継者は、それぞれ情報本体を参照した際に、情報本体に含められている広告本体の存在場所に基づいて、広告本体を参照することとなる。このとき、情報本体と共に流通されているのは広告本体ではなく、広告本体の存在場所であるので、流通される広告情報の情報量を軽減することができる。
【０００８】
上記目的は、請求項４の発明にあっては、情報提供者の端末から提供された流通情報に種類の異なる複数の広告を付して、複数の中継者の端末を順次経由して、情報提供者の端末および複数の中継者の端末をつなぐネットワーク上を流通させる情報流通方法であって、複数の中継者の端末が備える自己以外の他の中継者の端末からの流通情報を格納する一の格納手段と、一の格納手段に格納された流通情報の内、自己以外の他の中継者の端末へ公開するために流通情報を格納する他の格納手段のうち、他の格納手段に流通情報を格納する際には、流通情報に付された種類の異なる複数の広告の内、中継者により選択された流通情報の内容に関連しない非関連広告を削除し、流通情報の内容に関連する関連広告のみを他の格納手段に格納するとともに、複数の中継者の端末のうち、互いに価値観が共通している中継者の端末を同一のテーマに関するグループに属すようにし、他の格納手段に格納された流通情報を、自己と同一のテーマに関するグループに属する自己以外の他の中継者の端末のみから参照可能にし、複数の中継者の端末を順次経由して流通される流通情報に関連広告のみを付し、複数の中継者の端末のそれぞれに、流通情報とともに一の格納手段に格納された関連広告を表示させる情報流通方法により、達成される。請求項４の構成によれば、情報発信者からの流通情報には、種類の異なる複数の広告が付されて流通されている。この流通情報は、まずある一の中継者の端末における一の格納手段に格納される。次に、この中継者の端末では、流通情報に付されている無用と思われる非関連広告が除かれ、流通情報は関連広告のみが付された状態で他の格納手段に格納される。従って、他の中継者の端末は、流通情報を参照した際に、流通情報に元々付されていた非関連広告を参照することがなくなり、流通情報に現在付されている関連広告のみを参照することになる。このため、他の中継者は、非関連広告を参照することが無く、関連広告のみを参照することになる。また、流通情報へ広告を付す側にとっても、他の中継者に対して有効な広告を参照させることができるので、広告を効率的なものとすることができる。
【０００９】
請求項５の発明は、請求項４の構成において、流通情報が、ネットワークに接続された記憶手段に記憶された流通情報の内容としての情報本体と、情報本体に関連付けられて情報本体とは分離して流通され、情報本体が記憶された記憶手段の位置情報を含み、一の格納手段又は他の格納手段に格納される情報インデックスタグとを有し、複数の中継者の端末のそれぞれは、流通情報とともに一の格納手段に格納された関連広告を表示する際に、情報インデックスタグに含まれる情報本体が記憶された記憶手段の位置情報を基に、情報本体を取得して表示するようにしたものである。請求項５の構成によれば、請求項４の作用に加えて、情報本体を流通させる代わりに、情報本体の存在場所を示す情報インデックスタグのみを流通させている。複数の中継者がこの情報本体を参照するには、情報インデックスタグに基づいて情報本体を参照することができる。従って、流通される流通情報の情報量を軽減することができる。
【００１０】
請求項６の発明は、請求項５の構成において、広告が、情報インデックスタグに付され、広告の内容である広告本体と、広告本体の存在場所を示す情報とを有し、情報インデックスタグには、広告本体の存在場所を示す情報のみが含められており、複数の中継者の端末のそれぞれは、流通情報とともに一の格納手段に格納された関連広告を表示する際に、情報インデックスタグに含まれる関連広告の内容である関連広告本体の存在場所を示す情報を基に、関連広告本体を取得して表示するようにしたものである。請求項６の構成によれば、請求項５の作用に加えて、広告情報全てを流通させる代わりに、広告本体の存在場所を示す情報のみを情報インデックスタグに含めて流通させている。複数の中継者は、それぞれ情報本体を参照した際に、情報本体に含められている広告本体の存在場所に基づいて、広告本体を参照することとなる。このとき、情報本体と共に流通されているのは広告本体ではなく、広告本体の存在場所であるので、流通される広告情報の情報量を軽減することができる。
【００１１】
上記目的は、請求項７の発明にあっては、情報提供者の端末から提供された流通情報に種類の異なる複数の広告を付して、複数の中継者の端末を順次経由して、情報提供者の端末および複数の中継者の端末をつなぐネットワーク上を流通させる情報流通プログラムを記録したコンピュータ読み取り可能なプログラム格納媒体であって、複数の中継者の端末が備える自己以外の他の中継者の端末からの流通情報を格納する一の格納手段と、一の格納手段に格納された流通情報の内、自己以外の他の中継者の端末へ公開するために流通情報を格納する他の格納手段のうち、他の格納手段に流通情報を格納する際には、流通情報に付された種類の異なる複数の広告の内、中継者により選択された流通情報の内容に関連しない非関連広告を削除し、流通情報の内容に関連する関連広告のみを他の格納手段に格納するとともに、複数の中継者の端末のうち、互いに価値観が共通している中継者の端末を同一のテーマに関するグループに属すようにし、他の格納手段に格納された流通情報を、自己と同一のテーマに関するグループに属する自己以外の他の中継者の端末のみから参照可能にし、複数の中継者の端末を順次経由して流通される流通情報に関連広告のみを付し、複数の中継者の端末のそれぞれに、流通情報とともに一の格納手段に格納された関連広告を表示させる情報流通プログラムを記録したコンピュータ読み取り可能なプログラム格納媒体により、達成される。請求項７の構成によれば、情報発信者からの流通情報には、種類の異なる複数の広告が付されて流通されている。この流通情報は、まずある一の中継者の端末における一の格納手段に格納される。次に、この中継者の端末では、流通情報に付されている無用と思われる非関連広告が除かれ、流通情報は関連広告のみが付された状態で他の格納手段に格納される。従って、他の中継者の端末は、流通情報を参照した際に、流通情報に元々付されていた非関連広告を参照することがなくなり、流通情報に現在付されている関連広告のみを参照することになる。このため、他の中継者は、非関連広告を参照することが無く、関連広告のみを参照することになる。また、流通情報へ広告を付す側にとっても、他の中継者に対して有効な広告を参照させることができるので、広告を効率的なものとすることができる。
【００１２】
上記目的は、請求項８の発明にあっては、情報提供者の端末から提供された流通情報に種類の異なる複数の広告を付して、複数の中継者の端末を順次経由して、情報提供者の端末および複数の中継者の端末をつなぐネットワーク上を流通させる情報流通プログラムであって、複数の中継者の端末が備える自己以外の他の中継者の端末からの流通情報を格納する一の格納手段と、一の格納手段に格納された流通情報の内、自己以外の他の中継者の端末へ公開するために流通情報を格納する他の格納手段のうち、他の格納手段に流通情報を格納する際には、流通情報に付された種類の異なる複数の広告の内、中継者により選択された流通情報の内容に関連しない非関連広告を削除し、流通情報の内容に関連する関連広告のみを他の格納手段に格納するとともに、複数の中継者の端末のうち、互いに価値観が共通している中継者の端末を同一のテーマに関するグループに属すようにし、他の格納手段に格納された流通情報を、自己と同一のテーマに関するグループに属する自己以外の他の中継者の端末のみから参照可能にし、
複数の中継者の端末を順次経由して流通される流通情報に関連広告のみを付し、
複数の中継者の端末のそれぞれに、流通情報とともに一の格納手段に格納された関連広告を表示させる情報流通プログラムにより、達成される。請求項８の構成によれば、情報発信者からの流通情報には、種類の異なる複数の広告が付されて流通されている。この流通情報は、まずある一の中継者の端末における一の格納手段に格納される。次に、この中継者の端末では、流通情報に付されている無用と思われる非関連広告が除かれ、流通情報は関連広告のみが付された状態で他の格納手段に格納される。従って、他の中継者の端末は、流通情報を参照した際に、流通情報に元々付されていた非関連広告を参照することがなくなり、流通情報に現在付されている関連広告のみを参照することになる。このため、他の中継者は、非関連広告を参照することが無く、関連広告のみを参照することになる。また、流通情報へ広告を付す側にとっても、他の中継者に対して有効な広告を参照させることができるので、広告を効率的なものとすることができる。
【００１３】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
図１は、本発明の好ましい実施形態としての情報流通システム１０１の構成例を示すシステム構成図である。
情報流通システム１０１は、仲介斡旋事業者サーバ１０９、情報発信者端末１０５、情報中継者端末１２９、広告掲出者端末１０７及びネットワーク１０３を備える。この情報流通システム１０１は、情報発信者端末１０５から提供された流通情報に後述するように有効な広告を付して、複数の情報中継者端末１２９の間で交換させる機能を有する。これら複数の情報中継者端末１２９は、それぞれ他と区別しうるグループに属する中継者が操作する電子端末である。この流通情報は、その内容を示す情報本体３１及び、少なくとも情報本体３１の存在場所を有する情報インデックスタグ７を有している。
【００１５】
この情報本体３１の存在場所は、例えばＵＲＬ（Ｕｎｉｆｏｒｍ  Ｒｅｓｏｕｒｃｅ  Ｌｏｃａｔｏｒ）で示されている。この情報流通システム１０１では、情報本体３１を直接流通する代わりに、情報本体３１の存在位置を示す情報インデックスタグ７を流通させている。このようにすると、情報流通システム１０１は、情報本体３１を常に直接流通させる場合に比べて、流通されるデータ量を減らすことができる。
【００１６】
また、この情報インデックスタグ７には、種類の異なる複数の広告が付されている。この広告は、広告の内容を示す広告本体１２７ａ及び、広告リンク情報１２７ｂ（広告本体の存在場所を示す情報）を有しており、この情報インデックスタグ７には、広告本体１２７ａ自体が含められていても良いが、ここでは例えば広告リンク情報１２７ｂのみが含められている。具体的には、この情報インデックスタグ７には、広告リンク情報１２７ｂとして、例えばＵＲＬのようなリンクが付されている。従って、広告本体１２７ａは、ネットワーク１０３に接続されたコンピュータ等のいずれかの場所に存在させ、必要に応じてその存在場所から取得されるように構成されている。このようにすると、広告本体を常に流通させる場合に比べて、流通されるデータ量を減らすことができる。
【００１７】
これら種類の異なる複数の広告は、例えば情報本体３１の内容に関連している関連広告及び、情報本体３１に関連しない非関連広告である。つまり、この関連広告は、例えば価値観を共通にする複数の情報中継者がそれぞれ価値があると考える広告であり、この非関連広告は、例えばそれら複数の情報中継者がそれぞれ価値が無いと考える広告である。
【００１８】
情報発信者端末１０５は、情報発信者が操作する電子端末であり、後述する広告が付される情報元である情報本体３１を、仲介斡旋事業者サーバ１０９に対して提供する機能を有する。この情報発信者端末１０５は、ＩＫＯボックス２３を備え、好ましくはアウトボックスアクセスカウンタ３１を備えている。
【００１９】
ＩＫＯボックス２３は、予め設定されるテーマ毎に設けられる流通情報を格納するためのソフトウェアであり、少なくとも自己以外の他の端末からの情報インデックスタグ７を格納する一の格納手段及び、その一の格納手段に格納された情報インデックスタグ７の内、自己以外の他の端末へ公開するために情報インデックスタグ７を格納する他の格納手段を備えている。
【００２０】
ここでは、例えば一の格納手段がキープボックス１０であり、他の格納手段がアウトボックス９であるものとする。尚、ＩＫＯボックス２３は、好ましくはさらにキープボックス９を備えていても良い。このキープボックス９は、情報インデックスタグ７を格納し、この情報インデックスタグ７を自己と同一のテーマに関するグループに属する中継者の端末のみから参照でき、このグループに属さない中継者の端末からは参照できないようにする機能を有する。上記アウトボックスアクセスカウンタ３１は、アウトボックス９に格納された情報インデックスタグ７に他の端末がアクセスした回数を計測する機能を有する。このアウトボックスアクセスカウンタ３１は、ブックマークカウンタ１７の代わりに情報本体３１の評価を行う機能を有する。従って、ブックマークカウンタ１７及びアウトボックスアクセスカウンタ３１は、少なくとも一方が機能していれば良い。
【００２１】
情報中継者端末１２９は、複数の情報中継者がそれぞれ操作する複数の電子端末であり、情報インデックスタグ７を後述するように中継する機能を有する。また、この情報中継者端末１２９において特徴的なことは、中継する情報インデックスタグ７に含められている種類の異なる複数の広告の内、情報本体３１に関連しない上記関連広告が削除され、情報インデックスタグ７に上記関連広告のみが残されることである。
【００２２】
広告掲出者端末１０７は、上記広告を情報インデックスタグ７にリンクさせ、掲出しようとしている者が操作する電子端末である。この広告掲出者端末１０７は、仲介斡旋事業者サーバ１０９に対して広告情報１２７を提供する機能を有する。
【００２３】
また、仲介斡旋事業者サーバ１０９は、有効情報検出手段１１１、広告掲出交渉手段１１３、情報提供者データベース（ＤＢ）１１５、広告掲出者データベース（ＤＢ）１１７、情報価値評価手段１１７（ブックマークカウンタ）、広告対価支払い決定手段１１９、情報提供手段１２１、広告情報インデックスタグ発生手段１２３及び資金決済手段１２５を備える。
【００２４】
情報発信者ＤＢ１１５は、情報提供者の属性を登録するためのデータベースである。この情報発信者ＤＢ１１５は、仲介斡旋事業者サーバ１０９にアクセスしてきた情報発信者端末が、予め登録されている情報発信者端末１０５であるか否かを判断するための情報発信者に関する情報が登録されている。また、この情報発信者ＤＢ１１５は、情報発信者端末１０５から提供され情報発信者が流通を希望する流通情報としての情報本体３１が登録される。
【００２５】
また、広告掲出者ＤＢ１１７は、広告掲出者の属性を登録するためのデータベースである。この広告掲出者ＤＢ１１７は、仲介斡旋事業者サーバ１０９にアクセスしてきた広告掲出者端末が、予め登録されている広告掲出者端末１０７であるか否かを判断するための広告掲出者に関する情報が登録されている。
【００２６】
有効情報検出手段１１１は、情報発信者ＤＢ１１５に登録されている情報本体３１が有効な情報であるか否かを検出する機能を有する。また、広告掲出交渉手段１１３は、広告掲出者端末１０７及び情報発信者端末１０５の間で、広告の掲出に関して交渉を行う機能を有する。
【００２７】
ブックマークカウンタ１７は、情報インデックスタグ７に基づいて情報中継者端末１２９から、情報発信者ＤＢ１１５に登録されている情報本体３１へアクセスのあった回数を計測している。ここで、アクセスの多い情報本体３１は、それだけ情報発信者から必要とされており、有効性が高いことを示している。従って、ブックマークカウンタ１７は、流通情報の有用性を図る目安となる。
【００２８】
広告対価支払い決定手段１１９は、広告掲出者ＤＢ１１７に登録されている広告掲出者が、情報発信者ＤＢ１１５に登録されている情報発信者に対して広告料を決定する機能を有する。また、資金決済手段１２５は、広告掲出者が支払う広告料を情報発信者に、例えば電子決済によって支払う機能を有する。
【００２９】
情報提供手段１２１は、広告掲出者端末１０７からの広告情報１２７の内、例えば広告本体１２７ａを格納する機能を有する。この情報提供手段１２１は、広告リンク情報１２７ｂが含められた情報インデックスタグ７を、情報中継者端末１２９にネットワーク１０３を経由して提供する機能を有する。また、情報中継者端末１２９は、広告リンク情報１２７ｂが含められた情報インデックスタグ７を受信する機能を有する。この情報中継者端末１２９は、情報インデックスタグ７に基づいて情報本体３１を取得できるばかりでなく、広告リンク情報１２７ｂに基づいて広告本体１２７ａを取得して所定の広告を表示する機能を有する。
【００３０】
また、広告情報インデックスタグ発生手段１２３は、広告掲出者端末１０７からの広告情報７０（広告）から広告リンク情報１２７ｂを抽出し、広告リンク情報１２７ｂを情報インデックスタグ７に付する機能を有する。
【００３１】
図２（Ａ）は、図１の情報発信者ＤＢ１１５に登録されている属性の一例を示す図であり、図２（Ｂ）は、図１の広告掲出者ＤＢ１１７に登録されている属性の一例を示す図である。
情報発信者ＤＢ１１５には、例えば図２（Ａ）に示すようなＩＤ（ＩＤｅｎｔｉｆｉｃａｔｉｏｎ）、氏名、住所（電子メールアドレス）、ブックマークカウンタ値（評価済み値）、銀行口座番号、アウトボックスタイトル及びキーワードが登録されている。
【００３２】
ブックマークカウンタ値とは、ブックマークカウンタ１７によってカウントされたカウント値（ブックマークカウンタ値）が登録されているようになっている。尚、ブックマークカウンタ値におけるカッコ書きは、評価が済んでおり情報発信者に対価が支払われたカウンタ値である。また、キーワードとは、情報発信者が情報発信者端末１０５によって発信した情報本体３１の内容を簡単に表現したキーワードを示している。
【００３３】
また、広告掲出者ＤＢ１１７には、図２（Ｂ）に示すようなデータが登録されている。この広告掲出者ＤＢ１１７には、情報ＩＤ、団体名、請求先、広告対価、掲出アウトボックスＩＤ及びキーワードが登録されている。ここで、「情報ＩＤ（ＩＤｅｎｔｉｆｉｃａｔｉｏｎ）」とは、情報発信者が発信した情報本体３１をそれぞれ識別するための識別子を示している。「広告対価」とは、１ブックマークカウンタ値毎に情報発信者に対して支払われる対価を示している。「掲出アウトボックスＩＤ」とは、情報本体３１を掲出しているアウトボックス９を識別するための識別子である。
【００３４】
図３は、図１の情報流通システム１０１によって情報インデックスタグ７が流通される原理の一例を示す図であり、図４は、図３の情報インデックスタグ７が情報提供手段１２１によって管理されているホルダの一例を示す図である。
図３では、情報発信者端末１０５からの情報インデックスタグ７が情報中継者端末１２９によって中継される様子を示している。具体的には、以下のようになっている。尚、横方向に配列している情報中継者端末を操作している情報中継者は、互いに価値観が共通している者であるものとする。
【００３５】
情報流通システム１０１は、例えばアウトボックス９の先には後半に広がった逆ツリー状の情報経路が出来上がっている。この情報流通システム１０１では、情報発信者端末１０５が発信した情報本体３１に関して、その情報を他の端末にも伝えたいとする者が表れた場合も、自由に情報本体３１の伝達を行うことができる。具体的には、情報発信者端末１０５は、そのアウトボックス９に情報インデックスタグ７を格納しており、これが例えば情報中継者端末１１のキープボックス９に格納される。この情報中継者端末１１を操作する情報中継者は、情報インデックスタグ７の「Ａ」及び「Ｂ」が示す広告本体１２７ａについても価値があると思い、これらをアウトボックス９に格納して情報中継者端末２１に公開する。ここで、「Ａ」や「Ｂ」とは、それぞれが示す広告本体１２７ａの存在場所を示している。
【００３６】
互いに価値観が共通している、情報中継者端末１１及び情報中継者端末２１を操作する情報中継者は、「Ａ」という広告情報の所在を含む情報インデックスタグ７及び、「Ｂ」という広告情報の所在を含む情報インデックスタグ７に基づいて、それぞれの広告本体１２７ａを参照することとなる。
【００３７】
一方、情報発信者端末１０５のアウトボックス９に格納された、「Ａ」という広告情報の所在を含む情報インデックスタグ７及び「Ｂ」という広告情報の所在を含む情報インデックスタグ７を、情報中継者端末１２のキープボックス９に取得したものとする。情報中継者端末１２の情報中継者は、「Ｂ」という広告情報の所在を含む情報インデックスタグ７を不要と思い削除し、「Ａ」という広告情報の所在を含む情報インデックスタグ７をアウトボックス９に格納する。
【００３８】
次に、情報中継者端末２２は、情報中継者端末１２のアウトボックス９に格納されている、「Ａ」という広告情報の所在を含む情報インデックスタグ７を取得する。情報中継者端末２２は、「Ａ」という広告情報の所在を含む情報インデックスタグ７に基づいて、情報本体３１を参照することができると共に、広告本体１２７ａを参照する事となる。従って、情報中継者端末１２の情報中継者は、情報中継者端末１２の情報中継者と価値観が共通する広告のみを参照することになる。
【００３９】
ここで、情報中継者端末１２及び情報中継者端末２２の情報中継者は互いに価値観が共通しているので、「Ａ」という広告情報の所在を含む情報インデックスタグ７によって表示される広告本体１２７ａは、情報中継者２２の情報中継者にとって有効な広告となる。これは、図示のように「Ａ」という広告情報の所在を含む情報インデックスタグ７が削除された結果残った、「Ｂ」という広告情報の所在を含む情報インデックスタグ７についても同様のことがいえる。尚、これら、情報本体３１及び広告本体１２７ａは、例えば図４に示す情報提供手段１２１から提供される。
【００４０】
図５は、図１の情報流通システム１０１によって情報インデックスタグ７が流通される原理の一例を示す図であり、図６は、図５の情報インデックスタグ７が情報提供手段１２１によって管理されているホルダの一例を示す図である。
図５では、情報発信者端末１０５，Ｙ（１０５）からの情報インデックスタグ７が情報中継者端末１２９によって中継される様子を示している。具体的には、以下のようになっている。尚、横方向に配列している情報中継者端末を操作している情報中継者は、互いに価値観が共通している者であるものとする。
【００４１】
この情報流通システム１０１では、情報発信者端末１０５が発信した情報本体３１に関して、その情報を他の端末にも伝えたいとする者が表れた場合も、自由に情報本体３１の伝達を行うことができる機能を有する。具体的には、情報発信者端末１０５は、「Ｘ」というジャンルの情報群の所在を含む情報インデックスタグ７及び、「ＡＤ」という広告情報の所在を含む情報インデックスタグ７をアウトボックス９に格納している。
【００４２】
「Ｘ」というジャンルの情報群は、例えば帆船模型の帆布に関する情報であり、「ＡＤ」という広告情報は、例えば「Ｘ」というジャンルの情報群に内容的に近く、「Ｘ」を受け取ると思われる広告情報であり、例えば帆船模型に関する広告である。
【００４３】
この情報インデックスタグ７は、例えば情報中継者端末１１のキープボックス９に取得される。この情報中継者端末１１を操作する情報中継者は、情報インデックスタグ７の「ＡＤ」及び「Ｘ」がそれぞれ示す広告本体１２７ａについても価値があると思い、これらをアウトボックス９に格納して情報中継者端末２１に公開する。
【００４４】
情報中継者端末１１及び情報中継者端末２１を操作する情報中継者は、互いに価値観が共通しており、「ＡＤ」という広告情報の所在を含む情報インデックスタグ７及び「Ｘ」というジャンルの情報群の所在を含む情報インデックスタグ７を取得する。
【００４５】
一方、「ＡＤ」という広告情報の所在を含む情報インデックスタグ７及び「Ｘ」というジャンルの情報群の所在を含む情報インデックスタグ７を情報中継者端末１２のキープボックス９に取得すると、情報中継者端末１２の情報中継者は、「ＡＤ」についての情報インデックスタグ７を不要と思い削除し、「Ｘ」というジャンルの情報群の所在を含む情報インデックスタグ７のみをアウトボックス９に格納する。
【００４６】
次に、情報中継者端末２２は、情報中継者端末１２のアウトボックス９に格納されている情報インデックスタグ７を参照して、「Ｘ」というジャンルの情報群の所在を含む情報インデックスタグ７を取得することができる。従って、情報中継者端末２２の情報中継者は、情報中継者端末１２の情報中継者と価値観が共通する広告のみを参照することになる。
【００４７】
情報中継者端末１２及び情報中継者端末２２の情報中継者は互いに価値観が共通しているので、情報中継者端末１２によって削除された結果残った広告Ａが付された情報インデックスタグ７によって情報中継者端末２２に表示される広告は、情報中継者２２の情報中継者にとって有効な広告となる。これは、図示のように情報中継者端末１３によって広告Ａが付された情報インデックスタグ７が削除された結果残った「Ｂ」という広告情報の所在を含む情報インデックスタグ７についても同様である。
【００４８】
そして、情報中継者端末１１等には、図６に示す情報提供手段１２１から、「Ａ」という広告情報の所在を含む情報インデックスタグ７に関連する情報本体３１及び、「Ｂ」という広告情報の所在を含む情報インデックスタグ７に関連している情報本体３１が提供されるとともに、所定の広告が表示される。
【００４９】
また、情報中継者端末１３（１２９）が、上記情報発信者端末１０５とは異なる情報発信者端末１０５ａからの「Ｙ」という広告情報の所在を含む情報インデックスタグ７を含めて上記同様の処理を行っても良いことはいうまでもない。尚、「Ｙ」という広告情報は、例えばカティサーク号における帆布の研究に関する情報である。
【００５０】
従って、情報中継者端末１３（１２９）は、「Ｘ」という広告情報の所在を含む情報インデックスタグ７を除いて、「Ｙ」という広告情報の所在を含む情報インデックスタグ７を、「ＡＤ」という広告情報の所在を含む情報インデックスタグ７と共にアウトボックス９に格納して公開している。これは、情報中継者端末１３の情報中継者が、「Ｘ」という広告情報よりも「Ｙ」という広告情報の方が「ＡＤ」という広告情報に有効であると判断したためである。従って、情報中継者端末１３の下流側に相当する情報中継者端末２５（１２９）には、「Ｙ」という広告情報の所在を含む情報インデックスタグ７及び、「ＡＤ」という広告情報の所在を含む情報インデックスタグ７が引き渡される。
【００５１】
図７は、情報中継者端末１２９によるアクセスの多い順に並べたブックマークカウンタランキングの一例を示す図である。
ブックマークカウンタランキングは、情報享受者としての情報中継者端末１２９が情報提供部１２１にアクセスした回数を上記ブックマークカウンタ１７によってカウントされた順に並べた様子の一例を示している。また、このブックマークカウンタランキングは、後述するように広告掲出者が参照することで、より多くのアクセスがどのような情報本体３１に有るのか、つまりニーズの高い情報を見極めるために参考とされる情報である。
【００５２】
このブックマークカウンタランキングには、例えば氏名、カウント値、アウトボックスタイトル（ＯｕｔＢｏｘタイトル）及び連絡するかしないかに関する情報が含まれている。氏名は、情報インデックスタグ７に関連している情報本体３１の所有者の名前である。カウント値は、この情報本体３１にアクセスされた回数を示している。アウトボックスタイトルは、情報本体３１のテーマを示している。また、連絡するかしないかに関する情報は、氏名欄に記載されている情報本体３１の所有者に連絡するかしないかを示している。
【００５３】
ブックマークカウンタ１７がこのようなブックマークカウンタランキングを集計することによって、どのような情報本体３１にアクセスが多いかわるばかりでなく、誰が、アクセスの多い情報本体３１を提供しているのかを把握することもできる。
【００５４】
情報流通システム１０１は以上のような構成であり、次に図１〜図７を参照しつつその情報流通方法の一例について説明する。
図８は、情報流通システム１０１による情報流通方法の手順の一例を示すフローチャートである。尚、図８では、主として情報発信者、仲介斡旋事業者及び広告掲出者の各手順を縦方向に並べて図示している。
【００５５】
ステップＳＴ１では、情報発信者による情報発信が開始され、ステップＳＴ２では、情報発信者が所定の必要事項を所定のフォームに記入し、その所定のフォームを仲介斡旋事業者サーバ１０９の情報発信者ＤＢ１１５に登録する。次にステップＳＴ４では、情報発信者が提供を希望する情報本体３１を情報発信者端末１０５から、仲介斡旋事業者サーバ１０９の情報提供部１２１に送信し、情報発信者端末１０５の処理が一旦終了する（ステップＳＴ５）。
【００５６】
一方、ステップＳＴ１０では、広告掲出者が広告の掲出を開始し、ステップＳＴ１１では、広告掲出者が必要事項を所定のフォームに記入し、そのフォームが仲介斡旋事業者サーバ１０９に送信され広告掲出者ＤＢ１１７に登録される。登録された事項は、後述するステップＳＴ１４での資格確認で使用される。次にステップＳＴ１３では、情報発信者端末１０５のアウトボックス９に格納されている情報インデックスタグ７に関する情報を、仲介斡旋事業者サーバ１０９に対して要求する。
【００５７】
次にステップＳＴ１４では、仲介斡旋事業者サーバ１０９が、アクセスしてきた広告掲出者が広告掲出者ＤＢ１１７に予め登録されている広告掲出者であるか否かを判断する。アクセスしてきた広告掲出者が予め登録された者でない場合にはステップＳＴ１１に戻り、予め登録されたものである場合にはステップＳＴ１５に進む。ステップＳＴ１５では、図７に示すブックマークカウンタランキングが広告掲出者端末１０７に送信され、広告掲出者に対して提示される。このようにすると、広告掲出者は、アクセスの多い情報本体３１に広告を掲出することで、自らの事業を拡大し売り上げを向上することができる。
【００５８】
ステップＳＴ１６では、広告掲出者が、掲出しようとしている広告に有効な（有効な）情報本体３１に関連づけられている情報インデックスタグ７が格納されているアウトボックス９を、広告掲出者端末１０７を操作して捜す。ここで、広告掲出者が掲出しようとしている広告に有効な情報本体３１とは、例えば情報本体３１が旅行に関する情報であり、その広告とは、旅行業者が掲出する広告であることが望ましい。これは、広告掲出者は、自らの事業に関係のない情報本体３１に広告を掲出しても、事業の拡大や売り上げに何ら寄与しないからである。
【００５９】
次にステップＳＴ１７では、広告掲出者の事業発展のために有効な情報本体３１を提供するアウトボックス９がないとステップＳＴ１３に戻り、あると以下に示す広告掲出交渉が行われる（ステップＳＴ１８）。具体的には、ステップＳＴ１８では、仲介斡旋業者（によって管理されている仲介斡旋事業者サーバ１０９）が、情報発信者及び広告掲出者の間で、情報発信者によって提供された情報本体３１に広告掲出者が広告を掲出することについて交渉の仲介を行う。この様にすると、情報発信者のプライバシーを確保することができると共に、仲介斡旋事業者が手数料を取り損なうことを防止することができる。
【００６０】
次にステップＳＴ１９では、上記交渉が決裂した場合にはステップＳＴ１３に戻り、妥結された場合には広告条件が所定のフォームに記入され、広告掲出者ＤＢ１１７に登録される（ステップＳＴ２０）。
【００６１】
ここで、情報発信者端末１０５が、図３に示すように「Ａ」及び「Ｂ」という広告情報の所在を示す情報インデックスタグ７を発信したすると、例えば情報中継者端末１２（１２９）が、キープボックス９に格納している「Ｂ」という広告情報の所在を示す情報インデックスタグ７を除いて、「Ａ」という広告情報の所在を示す情報インデックスタグ７をアウトボックス９に格納する。そして、情報中継者端末２２（１２９）は、情報中継者端末２のアウトボックス９に格納されている「Ａ」という広告情報の所在を示す情報インデックスタグ７のみをキープボックス９に取得することができる。
【００６２】
従って、情報中継者端末２２を操作する情報中継者は、この情報インデックスタグ７に基づいて、情報インデックスタグ７に関連づけられた情報本体３１を参照すると共に、「Ａ」という広告情報の所在から有効な広告を参照することとなる。これは、図５に示す場合も同様である。このように情報中継者端末１２９が情報本体３１にアクセスすると、仲介斡旋事業者サーバ１０９に設けられたブックマークカウンタ１７がブックマークカウンタ値を上げる。
【００６３】
次にステップＳＴ２１では、例えば広告掲出者が予め設定した決済日であるか否かが判断され、決済日であればステップＳＴ２２に進む。尚、この決済日は、例えば広告掲出者が随時要求することにより決定されるようにしても良いことはいうまでもない。次にステップＳＴ２２では、仲介斡旋事業者サーバ１０９が、情報発信者ＤＢ１１５に登録されているブックマークカウンタ値（スコア）を読み取り、対価を計算する（ステップＳＴ２３）。
【００６４】
ステップＳＴ２４では、仲介斡旋事業者サーバ１０９を管理する仲介斡旋事業者が、広告掲出者に対して対価を請求する。ここで請求される対価は、例えば上述のように所定の広告条件に基づいて設定された対価である。次にステップＳＴ２５では、広告掲出者が上述のように決定された対価を仲介業者に対して支払う。
【００６５】
ステップＳＴ２６では、仲介斡旋事業者が、例えば電子決済によって広告掲出者からの対価を受け取り、受け取った対価の一部を手数料として徴収する。次にステップＳＴ２７では、仲介斡旋事業者が、その広告が付された情報本体３１を提供した情報発信者に対して対価を支払い、情報発信者はその対価を受け取ることができる（ステップＳＴ２８）。
【００６６】
本発明の好ましい実施形態によれば、不要な広告を除いて有効な広告のみを付した流通情報を提供することができる。つまり、本実施形態によれば、極めてフォーカスの絞られた広告掲出場所を確保することができるので、従来のインターネットにおけるワンクリック広告等に比べて格段の効果を期待できる広告を実現することができる。また、本実施形態によれば、情報が流通される際に、価値観の共通する情報中継者によって不要な広告リンク情報１２７ｂが除かれていくので、広告情報１２７をより有効なルートに流通させることができるようになる。
【００６７】
また、広告情報１２７を受ける側においても、不要な広告情報を受ける必要が少なくなるため、情報中継者は、ワンクリック広告等に見られる「不要な情報の煩わしさ」から解放されるようになるとともに、本当に必要な広告情報１２７が精選されて送られてくることによる便利さを享受することができる。また、本実施形態によれば、取り立てて大きなデータベースシステム等の構築の必要がなく、極めて一般的な技術により実現でき、システム開発、運用等に必要なコストも低く抑えることができる。
【００６８】
また、本実施形態によれば、仲介斡旋事業者サーバ１０９に設けられたブックマークカウンタ１７によって広告の効果を的確に把握できるため、広告効果の把握、広告戦略の立案に役立つようになる。さらに、本実施形態によれば、良い情報を提供する情報発信者に広告収入をもたらす、いわばインセンティブをつけることができる。この事は、インターネットの世界に良質な情報を流通させることを促進する効果もある。
【００６９】
ところで本発明は上述した実施形態に限定されるものではない。
上述した一連の処理を実行するプログラムをコンピュータにインストールし、コンピュータによって実行可能な状態とするために用いられるプログラム格納媒体としては、例えばフロッピー（登録商標）ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）などのパッケージメディアのみならず、プログラムが一時的もしくは永続的に格納される半導体メモリや磁気ディスクなどで実現しても良い。
これらプログラム格納媒体にプログラムを格納する手段としては、ローカルエリアネットワークやインターネット、デジタル衛星放送などの有線および無線通信媒体を利用しても良く、ルーターやモデム等の各種通信インターフェースを介在させて格納するようにしてもよい。また、上述した情報流通システムを構成する情報発信者端末１０５、広告掲出者端末１０７及び仲介斡旋事業者サーバ１０９は、それぞれ上記プログラム格納媒体のプログラム等のデータを少なくとも読み取ることができるドライブ装置を備えていても良い。
また、上記情報流通機能を発揮させるためのプログラムは、上記プログラム格納媒体に格納されている形態のみならず、インターネット等の各種通信手段を経由してデータ通信される
上記実施形態の各構成は、その一部を省略したり、上記とは異なるように任意に組み合わせることができる。
【００７０】
【発明の効果】
以上説明したように、本発明によれば、不要な広告を除いて有効な広告のみを付した流通情報を提供することができる情報流通システム、情報流通方法、情報流通プログラムを記録したコンピュータ読み取り可能なプログラム格納媒体及び情報流通プログラムを提供することができる。
【図面の簡単な説明】
【図１】本発明の好ましい実施形態としての情報流通システムの構成例を示すシステム構成図。
【図２】図１の情報発信者ＤＢ及び広告掲出者ＤＢに登録されている属性の一例を示す図。
【図３】図１の情報流通システムによって情報インデックスタグが流通される原理の一例を示す図。
【図４】図３の情報インデックスタグが情報提供手段によって管理されているホルダの一例を示す図。
【図５】図１の情報流通システムによって情報インデックスタグが流通される原理の一例を示す図。
【図６】図５の情報インデックスタグが情報提供手段によって管理されているホルダの一例を示す図。
【図７】情報中継者端末によるアクセスの多い順に並べたブックマークカウンタランキングの一例を示す図。
【図８】情報流通システムによる情報流通方法の手順の一例を示すフローチャート。
【符号の説明】
７・・・情報インデックスタグ、９・・・アウトボックス（他の格納手段）、１１・・・インボックス（一の格納手段）、３１・・・情報本体、１０１・・・情報流通システム、１０５・・・情報発信者端末（情報発信者の端末）、１２９・・・情報中継者端末
【図１】
0004802405.tif 000002
【図２】
0004802405.tif 000003
【図３】
0004802405.tif 000004
【図４】
0004802405.tif 000005
【図５】
0004802405.tif 000006
【図６】
0004802405.tif 000007
【図７】
0004802405.tif 000008
【図８】
0004802405.tif 000009